(57)【要約】【課題】色表現の自由度を増大したカラー表示装置、方法及びプログラムを提供する。【解決手段】輝度値変更部２２３が、操作キー２５から入力されるキー操作に応じて、選択される基本色に対応する輝度値のうち所望のものを変更すると共に、変更に係る輝度値が前記刻みメモリ２２２に記憶されているいずれの刻み値とも一致しない場合は、その輝度値の変更のとき刻みメモリ２２２に記憶されているいずれかの刻み値に一致させる。【選択図】　図１
2004004193.tif 000002
【特許請求の範囲】
【請求項１】
複数の発光色の組合せにより色を発光させるカラー表示装置において、
予め用意された基本色ごとに対応する各発光色の輝度値を予め記憶した第１の記憶手段と、
輝度値を区分する各ステップと対応する各輝度値との関係を予め記憶した第２の記憶手段と、
選択される基本色に対応する輝度値のうち所望のものを変更すると共に、変更に係る輝度値が前記第２の記憶手段に記憶されているいずれの輝度値とも一致しない場合は、その輝度値の変更のときに第２の記憶手段に記憶されているいずれかの輝度値に一致させる、輝度値変更手段と、
基本色を元に変更され又は変更されなかった輝度値をもとに任意の表示色を設定する手段と、
を備えたことを特徴とするカラー表示装置。
【請求項２】
発光素子をパルス幅変調駆動により、前記各輝度値に基く輝度に制御することを特徴とする請求項１記載のカラー表示装置。
【請求項３】
複数の発光色の組合せにより色を発光させるカラー表示方法において、
予め用意された基本色ごとに対応する各発光色の輝度値を第１の記憶手段に予め記憶しておき、
輝度値を区分する各ステップと対応する各輝度値との関係を第２の記憶手段に予め記憶しておき、
選択される基本色に対応する輝度値のうち所望のものを変更すると共に、変更に係る輝度値が前記第２の記憶手段に記憶されているいずれの輝度値とも一致しない場合は、その輝度値の変更のときに第２の記憶手段に記憶されているいずれかの輝度値に一致させる処理と、
基本色を元に変更され又は変更されなかった輝度値をもとに任意の表示色を設定する処理と、
を含むことを特徴とするカラー表示方法。
【請求項４】
発光素子をパルス幅変調駆動により、前記各輝度値に基く輝度に制御することを特徴とする請求項３記載のカラー表示方法。
【請求項５】
コンピュータを制御することにより、複数の発光色の組合せにより色を発光させるカラー表示プログラムにおいて、
そのプログラムは前記コンピュータに、
予め用意された基本色ごとに対応する各発光色の輝度値を第１の記憶手段に予め記憶させておき、
輝度値を区分する各ステップと対応する各輝度値との関係を第２の記憶手段に予め記憶させておき、
選択される基本色に対応する輝度値のうち所望のものを変更させると共に、変更に係る輝度値が前記第２の記憶手段に記憶されているいずれの輝度値とも一致しない場合は、その輝度値の変更のときに第２の記憶手段に記憶されているいずれかの輝度値に一致させ、
基本色を元に変更され又は変更されなかった輝度値をもとに任意の表示色を設定させることを特徴とするカラー表示プログラム。
【請求項６】
前記プログラムは前記コンピュータに、発光素子をパルス幅変調駆動により、前記各輝度値に基く輝度に制御させることを特徴とする請求項５記載のカラー表示プログラム。
【発明の詳細な説明】
【０００１】
【発明の属する技術分野】
本発明は、複数色の光を発光可能な発光素子（例えば、Ｒ，Ｇ，Ｂの３色ＬＥＤ）における各発光色の輝度を変化させることにより複数色の表示を行うカラー表示装置、方法及びプログラムの改良に関する。
【０００２】
【従来の技術】
近年、発光素子やその制御といった電子技術が年々進歩しているが、各色のＬＥＤの組み合わせ等により、例えばカーオーディオシステムの操作パネルをその動作モードに応じて異なった色に光らせるようなカラー表示装置が、各種の機器について提案されている。
【０００３】
カラー表示装置の具体例として、例えば表示部を備えた操作パネルのバックライト照明において、Ｒ、Ｇ、Ｂの３色のＬＥＤを、表示用マイコンによるＰＷＭ（パルス幅変調）駆動で所望の明るさに制御することにより、所望の色調やその変化を実現するものが提案されている。ここで、ＰＷＭ駆動では、図７の概念図に示すように、一定輝度で光るか光らないかしか制御できない発光体について、十分短い単位時間サイクル（例えば数ミリ〜数十ミリ秒程度）あたりの発光時間を制御することで、目の残像現象等により、所望の中間的な明るさを実現するものである。
【０００４】
この種のカラー表示装置の機能として、予め用意された各色のＲ，Ｇ，Ｂの各輝度値による照明に加え、予め用意されたうち所望の色の輝度値をもとに、Ｒ，Ｇ，Ｂを適宜加減する色調整（輝度調整）を加えてユーザーのオリジナルカラーを作成し、これを記憶させて照明で光らせるものがある。このときの色調整を行う動作モードを、仮に「ユーザーカラー選択モード」と呼ぶ。
【０００５】
このユーザーカラー選択モードでのＲ，Ｇ，Ｂは、実際の回路上調整可能な輝度の最小の増減幅よりも、通常大きな幅で取り扱われ、このような取扱い上の大きな幅は「ステップ」と呼ばれる。
【０００６】
例えば、ＲＧＢの輝度値それそれが、実際の回路上は０〜１２７の計１２８段階の設定が可能であっても、輝度値の０をステップ数０、輝度値１〜１６までをステップ数１、輝度値１７〜３２までをステップ数２と、以降１ステップに対して輝度値を１６刻みして行き、最後の輝度値１１３〜１２７の１５刻み分をステップ数８とする。したがって、図４のように、ＲＧＢの０〜１２７の輝度値に対して、ステップ数が０〜８の計９段階で表現できる。
【０００７】
ＲＧＢ各色についてユーザにそれぞれ１２８段階調節を行わせると、キー操作の回数やＲＧＢの組合せが爆発的に増加し処理が複雑化する問題があるが、このようなステップを用いることによりＲＧＢ各色の輝度を９段階から選べば済むので、上記のような複雑化の問題も回避される。
【０００８】
そして、従来では、予め用意された各色のＲＧＢの輝度値も、この１ステップに対応する刻みの値、例えば０，１６，３２，…９６，１１２，１２７を初期値として保持されていた。なお、Ｒ，Ｇ，Ｂの各輝度値の組（セット）を輝度データと呼ぶ。
【０００９】
例えば、このような従来技術では、ある色“Ｍｏｄｅ　Ｏｒａｎｇｅ”が、Ｒ：１２７、Ｇ：３２、Ｂ：０のような輝度データにより定義され、これらＲＧＢそれそれの数字は、Ｒ：ステップ数８、Ｇ：ステップ数２、Ｂ：ステップ数０のようなステップに対応した輝度値の刻みから選択される（図８（ａ））。
【００１０】
この場合、この色をベースとして、ユーザーカラー選択モードで、ＲＧＢのＧの輝度調整を行う例を図８に示す。この場合、初期値状態から（図８（ａ））ステップ数２を１ステップ上げると、ステップ数３となり輝度値４８となる（図８（ｂ））。さらに１ステップ上げると、ステップ数４となり、輝度値は６４となる（図８（ｃ））。逆に、１ステップ下げると、ステップ数３となり、輝度値が４８になる（図８（ｄ））。さらにステップ数を１下げると、初期値のステップ数２に戻り（図８（ｅ））、輝度値は初期値の３２となる。
【００１１】
これは、ＲやＢについても同様で、ステップを変えて初期値のステップ数に戻すと、輝度値は初期値と同じ状態に戻せる。したがって“Ｍｏｄｅ　Ｏｒａｎｇｅ”のＲＧＢのそれそれを変更して、初期値に戻せば、“Ｍｏｄｅ　Ｏｒａｎｇｅ”は、ユーザーカラー選択モードでも再度表現できることになる。
【００１２】
【発明が解決しようとする課題】
しかしながら、上記のような従来技術では、予め用意される各色の設定は、上記のようなステップに対応する刻みの値同士の組合せであるため、刻みから外れた中間的な端数によって輝度データを予め設定することができなかった。このため、予め用意される色についてその色調や明るさが制限され、微妙なニュアンスが表現困難という問題点があった。
【００１３】
本発明は、上記のような従来技術の問題点を解決するために提案されたもので、その目的は、色表現の自由度を増大したカラー表示装置、方法及びプログラムを提供することである。本発明の他の目的は、予め用意される色のＲＧＢに端数値が含まれる場合も考慮し、予め用意される色の表現の自由度を増すと共に、それをもとに変更される輝度値だけを輝度値の刻みに一致させ、他はそのままユーザーカラーに用いることで、ユーザーカラーの自由度も増大させるカラー表示装置、方法及びプログラムを提供することである。
【００１４】
【課題を解決するための手段】
上記の目的を達成するため、請求項１の発明は、複数の発光色の組合せにより色を発光させるカラー表示装置において、予め用意された基本色ごとに対応する各発光色の輝度値を予め記憶した第１の記憶手段と、輝度値を区分する各ステップと対応する各輝度値との関係を予め記憶した第２の記憶手段と、選択される基本色に対応する輝度値のうち所望のものを変更すると共に、変更に係る輝度値が前記第２の記憶手段に記憶されているいずれの輝度値とも一致しない場合は、その輝度値の変更のときに第２の記憶手段に記憶されているいずれかの輝度値に一致させる、輝度値変更手段と、基本色を元に変更され又は変更されなかった輝度値をもとに任意の表示色を設定する手段と、を備えたことを特徴とする。
【００１５】
請求項３の発明は、請求項１の発明を方法という見方から捉えたもので、複数の発光色の組合せにより色を発光させるカラー表示方法において、予め用意された基本色ごとに対応する各発光色の輝度値を第１の記憶手段に予め記憶しておき、輝度値を区分する各ステップと対応する各輝度値との関係を第２の記憶手段に予め記憶しておき、選択される基本色に対応する輝度値のうち所望のものを変更すると共に、変更に係る輝度値が前記第２の記憶手段に記憶されているいずれの輝度値とも一致しない場合は、その輝度値の変更のときに第２の記憶手段に記憶されているいずれかの輝度値に一致させる処理と、基本色を元に変更され又は変更されなかった輝度値をもとに任意の表示色を設定する処理と、を含むことを特徴とする。
【００１６】
請求項５の発明は、請求項１，３の発明をコンピュータプログラムという見方から捉えたもので、コンピュータを制御することにより、複数の発光色の組合せにより色を発光させるカラー表示プログラムにおいて、そのプログラムは前記コンピュータに、予め用意された基本色ごとに対応する各発光色の輝度値を第１の記憶手段に予め記憶させておき、輝度値を区分する各ステップと対応する各輝度値との関係を第２の記憶手段に予め記憶させておき、選択される基本色に対応する輝度値のうち所望のものを変更させると共に、変更に係る輝度値が前記第２の記憶手段に記憶されているいずれの輝度値とも一致しない場合は、その輝度値の変更のときに第２の記憶手段に記憶されているいずれかの輝度値に一致させ、基本色を元に変更され又は変更されなかった輝度値をもとに任意の表示色を設定させることを特徴とする。
【００１７】
これらの態様では、ステップ毎に対応する輝度値の刻みに限定されず、中間の端数を自由に用いて基本色の各輝度値を定義することにより、微妙・多様な基本照明色を設定可能となる。また、そのような中間的な輝度値をそのまま残し、それ以外の色の輝度値を変化させるようにすれば、ユーザー設定色においても、ユーザの好みに合わせた微妙な照明色を調整及び設定可能な自由度が広がる。しかも、輝度値の変更を最小単位ずつにするわけではなく、変更する端数値はステップに対応する刻みの輝度値に一致させ増減も刻み単位なので、表示色を多様化しつつ、操作や処理の複雑化を招くこともない。
【００１８】
請求項２の発明は、請求項１記載のカラー表示装置において、発光素子をパルス幅変調駆動により、前記各輝度値に基く輝度に制御することを特徴とする。
【００１９】
請求項４の発明は、請求項２の発明を方法という見方から捉えたもので、請求項３記載のカラー表示方法において、発光素子をパルス幅変調駆動により、前記各輝度値に基く輝度に制御することを特徴とする。
【００２０】
請求項６の発明は、請求項２，４の発明をコンピュータプログラムという見方から捉えたもので、請求項５記載のカラー表示プログラムにおいて、前記プログラムは前記コンピュータに、発光素子をパルス幅変調駆動により、前記各輝度値に基く輝度に制御させることを特徴とする。
【００２１】
これらの態様では、ＬＥＤ等の発光素子に対するＰＷＭ駆動により、電圧の多段階制御も不要で小型の信頼性耐久性に優れた単純安価なカラー表示装置が提供される。
【００２２】
【発明の実施の形態】
次に、本発明の実施の形態（以下「実施形態」と呼ぶ）について、添付の図面を参照して具体的に説明する。なお、本実施形態は、コンピュータをプログラムで制御することで実現できるが、この場合のハードウェアやプログラムの実現態様は各種変更可能であるから、以下の説明では、本発明及び本実施形態の各機能を実現する仮想的回路ブロックを用いる。
【００２３】
〔１．構成〕
本実施形態は、複数の発光色の組合せにより色を発光させるカラー表示装置を含むカーオーディオ装置（以下「本装置」と呼ぶ）であって、カラー表示は例えば本装置の操作パネルのバックライト照明に適用される。また、本実施形態は、本装置上で実行されるカラー表示方法（以下「本方法」と呼ぶ）、及び本装置並びに本方法を実現するプログラム、そのようなプログラムを記録した機械可読型記録媒体として把握することもできる。
【００２４】
まず、図１の機能ブロック図は、本装置の全体を簡略に示す機能ブロック図である。本装置は、この図に示す以下の構成要素を備える。まず、２１は、発光体としてＲ（赤）、Ｇ（緑）、Ｂ（青）という３色のＬＥＤを備えた表示器であり、これらＬＥＤを輝度データに含まれるＲＧＢの各輝度値に基いて輝度調整することにより実際のカラー表示を行う部分である。
【００２５】
２３は、カーオーディオ装置全体を制御するＭＡＩＮマイコンである。２５は、操作キーであり、２２の表示マイコンは、操作キー２５からどのキーが押されたかのデータを取り込むとともに、押されたキーに応じた表示を行わせるために、表示器２１を制御する部分である。また、ＣＤ／ＭＤメカ２４は、ＣＤやＭＤを再生する部分で、スピンドルモータ、ディスクのチャッキングやローディングの機構、光学ピックアップやその送り機構等のメカニズムを含む。
【００２６】
また、表示マイコン２２の機能は、図１に示す次の各仮想的回路ブロックに分けて把握できる。プリセットメモリ２２１は、予め用意された基本色ごとに対応する各発光色の輝度値を記憶した第１の記憶手段である。刻みメモリ２２２は、輝度値を区分する各ステップと対応する各輝度値（以下「刻み値」と呼ぶ）との関係を予め記憶した第２の記憶手段である。
【００２７】
輝度値変更部２２３は、操作キー２５から入力されるキー操作に応じて、選択される基本色に対応する輝度値のうち所望のものを変更すると共に、変更に係る輝度値が前記刻みメモリ２２２に記憶されているいずれの刻み値とも一致しない場合は、その輝度値の変更のとき刻みメモリ２２２に記憶されているいずれかの刻み値に一致させる、輝度値変更手段である。このような輝度値の変更を「輝度調整」と呼ぶ。
【００２８】
ユーザーカラー設定部２２４は、基本色を元に変更され又は変更されなかった輝度値をもとに任意の表示色を、ユーザーカラー“ＵＳＥＲ　ＣＯＬＯＲ”として、ユーザーカラーメモリ２２５に設定する手段である。
【００２９】
また、表示マイコン２２には、発光素子である各ＬＥＤをパルス幅変調駆動により、前記各輝度値に基く輝度に制御する回路を設けるが、この回路は表示器２１に設けてもよい。
【００３０】
〔２．作用〕
以上のように構成された本実施形態は次のように作用する。
〔２−１．プリセットカラーのモード遷移〕
プリセットメモリ２２１に格納された各基本色及びユーザーカラーメモリ２２５に設定されたユーザーカラー“ＵＳＥＲ　ＣＯＬＯＲ”を「プリセットカラー」と呼ぶ。本実施形態ではこれらプリセットカラーが、キー操作により図２に示すように循環的に表示される。具体的には、所定のキーを操作するごとに“ＣＯＬＯＲ　ＳＣＡＮ”（後述）から“ＵＳＥＲ　ＣＯＬＯＲ”まで色が変化し、“ＵＳＥＲ　ＣＯＬＯＲ”でさらにキーを押すと、“ＣＯＬＯＲ　ＳＣＡＮ”に戻る。
【００３１】
また、図に示されるプリセットカラー上で、さらに別の所定のキー操作を行うことで、ユーザーカラー選択モードヘ入ることができ、このモードでは、直前に表示されていたプリセットカラーのＲＧＢを初期値として、ＲＧＢの輝度調整を行う。
【００３２】
より具体的には、図２に示すように、まず、“ＣＯＬＯＲ　ＳＣＡＮ”は、点滅等所定の表示で、“ＣＯＬＯＲ　ＳＣＡＮ”時に、ユーザーカラー選択モードに入ると、“Ｉｎｄｉｇｏ　Ｂｌｕｅ”から“Ｌｕｘ　Ｖｉｏｌｅｔ”まで繰り返し順々にプリセットカラーが一定時間表示され、その後さらに逆順次“ＬｕｘＶｉｏｌｅｔ”から“ＩｎｄｉｇｏＢｌｕｅ”に戻りながら、繰り返し順々にプリセットカラーが一定時間表示され、このような表示動作が繰り返される。
【００３３】
また、“Ｉｎｄｉｇｏ　Ｂｌｕｅ”から“ＣＯＬＯＲ　ＯＦＦ”までの表示中にユーザーカラー選択モードヘ入ると、そのプリセットカラーのＲＧＢを初期値として、ＲＧＢの輝度調整を行うことができる。
【００３４】
また“ＵＳＥＲ　ＣＯＬＯＲ”時にユーザーカラー選択モードに入ると、その時点における“ＵＳＥＲ　ＣＯＬＯＲ”の初期値が調整対象のカラーの初期値となる。この“ＵＳＥＲ　ＣＯＬＯＲ”は、他の基本色をそのまま又は輝度調整のうえユーザーカラーメモリ２２５に記憶させたものである。
【００３５】
〔２−２．輝度調整の概略的な例〕
輝度調整の際は、輝度値変更部２２３が、操作キー２５から入力されるキー操作に応じて、選択される基本色に対応する輝度値のうち所望のものを変更すると共に、変更に係る輝度値が前記刻みメモリ２２２に記憶されているいずれの刻み値とも一致しない場合は、その輝度値の変更のとき刻みメモリ２２２に記憶されているいずれかの刻み値に一致させる。
【００３６】
ここで、プリセットメモリ２２１には、図３に示す各基本色のＲＧＢの輝度データが予め格納され、また、刻みメモリ２２２には、図４に示すように、各ステップ数（０〜８）にそれぞれ対応する刻みの輝度値（０，１６，…９６，１１２，１２７）が記憶されているものとする。このうち、図３の輝度データを構成する各輝度値における５，１４，１５，２５，２８，３６，７２，７８，１０７，１０８，１１０は全て、図４の刻み値と一致しない中間の輝度値（以下「端数値」と呼ぶ）である。
【００３７】
本実施形態によると、このような中間的な端数値、例えば“Ｓｕｒｆ　Ｂｌｕｅ”におけるＲ：１４，Ｇ：３６、“Ａｒｏｍａ　Ｐｉｎｋ”におけるＧ：５，Ｂ：７８、“Ｌｕｘ　Ｖｉｏｌｅｔ”におけるＧ：１５等を設定することが可能となり、上記ステップ毎の刻み値に制限されない微妙な基本照明色を設定することが可能となる。
【００３８】
また、輝度調整の際、上記のような中間にある輝度値をそのまま残し、それ以外の色の輝度値を変化させるようにすれば、ユーザー設定においても、微妙な照明色を設定することが可能になるという効果も生じる。
【００３９】
例えば、図３中の基本色“Ｌｕｘ　Ｖｉｏｌｅｔ”のＲＧＢをベースとして、図５のようにユーザーカラー選択モードで色調整をする場合を考える。この場合、“Ｌｕｘ　Ｖｉｏｌｅｔ”のＲＧＢは、Ｒの輝度値が９６、Ｇの輝度値が１５、そしてＢの輝度値が１２７となっている。このとき、Ｇの輝度値１５は刻み値と一致しないので、図５（ａ）の初期値状態においてステップ数で表現すれば、それより大きい最初の刻み値である１６に対応するステップ数１となる。ただし、この時点では輝度値Ｇ（緑）は変更前なので、もとの輝度値Ｇ：１５が保存されている。
【００４０】
その後、Ｇのステップ数を一度でも変化させると、それにより端数値はそれより大きい直近の刻み値に一致させられ、すなわち丸め込まれる。１ステップを上げると（図５（ｂ））、ステップ２となり輝度値は対応する刻み値の３２となる。さらに１ステップ上げると（図５（ｃ））、輝度値はステップ３に対応する刻み値の４８となる。逆に、２ステップを下げてステップ数１に戻すと（図５（ｅ））、輝度値は当初の１５と異なる刻み値の１６となる。これにより、初期値であった“Ｌｕｘ　Ｖｉｏｌｅｔ”のＧ：１５は、予め決めておいた刻み値１６にまるめ込まれたことになる。
【００４１】
つまり逆に、“Ｌｕｘ　Ｖｉｏｌｅｔ”を例にとると、「Ｇ：１５」という端数値は変更せずにそのまま利用し、ＲやＢの輝度値のみを変化させることにより、通常の設定輝度値では設定することができない照明色の設定が可能となる。
【００４２】
すなわち、本実施形態では、ベース（図３に示したＲＧＢの初期値）となる輝度データに含まれるある色の輝度値が端数値である場合、それについて一度ステップ数を変化させた場合は、もとの初期値のステップ数に戻した場合でも、輝度値はもとの初期値に戻らずに、予め設定しておいたステップごとの輝度値にまるめ込まれる。つまり、図５の例のように、ＲＧＢのうち刻み値でないＧのステップ数を一度変化させると、もとのステップ数１に戻しても輝度値はもとの１５にならず、１６にまるめ込まれる。
【００４３】
したがって、もし再度“Ｌｕｘ　Ｖｉｏｌｅｔ”のＲＧＢのＧの端数値を利用したければ、もう一度“Ｌｕｘ　Ｖｉｏｌｅｔ”をベースとして、ユーザーカラー選択モードに入れば良い。
【００４４】
以上のような必要な輝度調整の後、所定のキー操作によりユーザーカラー選択モードを終了すると、ユーザーカラー設定部２２４が、基本色のＲＧＢを元に、そのうち変更されたものは変更後の輝度値を、変更されなかったものについてはもともとの輝度値を、任意の表示色をユーザーカラー“ＵＳＥＲ　ＣＯＬＯＲ”として、ユーザーカラーメモリ２２５に設定する。
【００４５】
〔２−３．具体的処理手順〕
上記のような輝度調整の具体的処理手順を図６のフローチャートに示す。ここで、表示器２１において、図３に示す“Ｌｕｘ　Ｖｉｏｌｅｔ”（以下「Ｖｉｏｌｅｔ」と呼ぶ）のＲＧＢの輝度調整を考える。この場合、図６のように、ＣＯＬＯＲキーの長押し操作により、“Ｖｉｏｌｅｔ”のＲＧＢを初期値として、ユーザーカラー選択モードに入る。
【００４６】
そして、“Ｖｉｏｌｅｔ”のＲＧＢの初期値を変更せず（ＳＴＥＰ１１）、かつ、“Ｖｉｏｌｅｔ”のＲＧＢの初期値をそのまま“ＵＳＥＲ　ＣＯＬＯＲ”として保存する場合は（ＳＴＥＰ１９）、例えばＥＮＴＥＲキーの長押し操作を行えば、メモリー処理と“ＵＳＥＲ　ＣＯＬＯＲ”表示が行われ（ＳＴＥＰ１８）ユーザーカラー選択モードを抜ける。
【００４７】
また、“Ｖｉｏｌｅｔ”のＲＧＢの初期値を変更せず（ＳＴＥＰ１１）、かつ、保存もしない場合は（ＳＴＥＰ１９）、ユーザーカラー選択モードに入ったときと同じ“Ｖｉｏｌｅｔ”を、ユーザーカラー選択モードを抜けるときの表示として（ＳＴＥＰ２０）、ユーザーカラー選択モードを抜ける。
【００４８】
一方、“Ｖｉｏｌｅｔ”のＲＧＢを変更するときは（ＳＴＥＰ１ｌ）、「＜」／「＞」（左右各方向キー）キー操作により、ＲＧＢのなかからいずれかを変更対象として選択する（ＳＴＥＰ１２）。ここで、例えば、“Ｖｉｏｌｅｔ”のＧ値である１５を変更するものとする。
【００４９】
そして、選択した色についてステップを上げるか又は下げるが（ＳＴＥＰ１３）ここでは、ステップ数を増やす場合を考える。すなわち、「∧」（上方向）キーにより、ステップ数２に加算すると（ＳＴＥＰ１４）、この結果、Ｇの輝度値は３２となる。
【００５０】
そして、さらにＲＧＢのステップ数を変更するかどうか判断し（ＳＴＥＰ１６）、変更するならＳＴＥＰ１２へ戻るが、このとき、さらにＧを選んでＳＴＥＰ１３へ進んだ場合を考える。今度は、ステップ数を減算することを選択した場合（ＳＴＥＰ１３）、例えば「∨」（下方向）キーによりステップ数を１減算し（ＳＴＥＰ１５）、この結果、ステップ数１となり、このときの輝度値は１６である。
【００５１】
そして、さらにＲＧＢのステップ数を変更するかどうか判断するが（ＳＴＥＰ１６）、変更しない場合は、メモリー処理を行うかどうか判断し（ＳＴＥＰ１７）、ここでメモリー処理を行わない場合は、ＲＧＢの値を“Ｖｉｏｌｅｔ”に戻してモードを抜けるが（ＳＴＥＰ２０）、メモリー処理を行う場合は（ＳＴＥＰ１７）、例えばＥＮＴＥＲキーの長押し操作を行う。これにより、その時点での輝度調整の内容に基いて“ＵＳＥＲ　ＣＯＬＯＲ”をユーザーカラーメモリ２２５に記憶させるメモリー処理と、その“ＵＳＥＲ　ＣＯＬＯＲ”の表示を行い（ＳＴＥＰ１８）ユーザーカラー選択モードを抜ける。
【００５２】
〔３．効果〕
以上のように、本実施形態では、ステップ毎に対応する輝度値の刻みに限定されず、中間の端数を自由に用いて基本色の各輝度値を定義することにより、微妙・多様な基本照明色を設定可能となる。また、そのような中間的な輝度値をそのまま残し、それ以外の色の輝度値を変化させるようにすれば、ユーザー設定色においても、ユーザの好みに合わせた微妙な照明色を調整及び設定可能な自由度が広がる。しかも、輝度値の変更を最小単位ずつにするわけではなく、変更する端数値はステップに対応する刻みの輝度値に一致させ増減も刻み単位なので、表示色を多様化しつつ、操作や処理の複雑化を招くこともない。
【００５３】
特に、本実施形態では、ＬＥＤ等の発光素子に対するＰＷＭ駆動により、電圧の多段階制御も不要で小型の信頼性耐久性に優れた単純安価なカラー表示装置が提供される。
【００５４】
〔４．他の実施形態〕
なお、本発明は、上記各実施形態には限定されず、以下に例示するような他の実施形態も含むものである。例えば、ＬＥＤやＰＷＭ駆動は必須ではなく、本発明はエレクトロルミネッセンスなどどのような発光体にも、また他の駆動方式にも適用可能である。
【００５５】
【発明の効果】
以上のように、この発明によれば、色表現の自由度を増大したカラー表示装置、方法及びプログラムを提供することができる。
【図面の簡単な説明】
【図１】本発明の実施形態の構成を示す機能ブロック図。
【図２】本発明の実施形態におけるプリセットカラーの表示順序を示す概念図。
【図３】本発明の実施形態におけるプリセットメモリの内容を示す図。
【図４】本発明の実施形態における刻みメモリの内容を示す図。
【図５】本発明の実施形態における輝度調整の一例を示す概念図。
【図６】本発明の実施形態における輝度調整の処理手順を示すフローチャート。
【図７】ＰＷＭ（パルス幅変調）駆動を示す概念図。
【図８】輝度調整の一例を示す概念図。
【符号の説明】
２１…表示器
２２…表示マイコン
２３…ＭＡＩＮマイコン
２４…ＣＤ／ＭＤメカ
２５…操作キー
２２１…プリセットメモリ
２２２…刻みメモリ
２２３…輝度値変更部
２２４…ユーザーカラー設定部
２２５…ユーザーカラーメモリ
ＳＴＥＰ…手順の各ステップ
【図１】
2004004193.tif 000003
【図２】
2004004193.tif 000004
【図３】
2004004193.tif 000005
【図４】
2004004193.tif 000006
【図５】
2004004193.tif 000007
【図６】
2004004193.tif 000008
【図７】
2004004193.tif 000009
【図８】
2004004193.tif 000010